(57)【要約】【課題】取付部材とパネル受部材を、連結具と止具によって二点支持できるうえ、止具の作業性を高める。【解決手段】屋根化粧パネルＰを取付けるためのパネル受部材１と、屋根材Ｙに取付ける取付部材２とを組み合わせて構成され、上記パネル受部材１には、長手方向に長孔１３を形成すると共に、この長孔１３に重合される軸孔２４を上記取付部材２に形成して、上記長孔１３と軸孔２４とを連結具３で結合して成る構造の屋根化粧パネル取付金具において、　上記パネル受部材１と上記取付部材２とが重合される部分であって、且つ、これらパネル受部材１又は取付部材２の何れか一方には、先端に切削部４１を備えた止具４が貫通される孔部１８を形成する。【選択図】図１
2004092290.tif 000002
【特許請求の範囲】
【請求項１】
屋根化粧パネルを取付けるためのパネル受部材と、屋根材に取付ける取付部材とを組み合わせて構成され、上記パネル受部材には、長手方向に長孔を形成すると共に、この長孔に重合される軸孔を上記取付部材に形成して、上記長孔と軸孔とを連結具で結合して成る構造の屋根化粧パネル取付金具において、
上記パネル受部材と上記取付部材とが重合される部分であって、且つ、これらパネル受部材又は取付部材の何れか一方には、先端に切削部を備えた止具が貫通される孔部を形成したことを特徴とする屋根化粧パネル取付金具。
【請求項２】
請求項１において、
上記孔部は、上記取付部材に１以上、又は、上記パネル受部材の長孔に沿って少なくとも２以上が形成されていることを特徴とする屋根化粧パネル取付金具。
【請求項３】
請求項１又は２の何れかにおいて、
上記長孔の長手方向に沿って、上記パネル受部材の高さ位置が識別可能な目印部を形成したことを特徴とする屋根化粧パネル取付金具。
【発明の詳細な説明】
【０００１】
【発明の属する技術分野】
本発明は、屋根の軒先、ケラバ等に設けられる屋根化粧パネルを取付けるための屋根化粧パネル取付金具に関する。
【０００２】
【従来の技術】
図２０は、従来の屋根化粧パネル取付金具を示す使用状態図である。
【０００３】
屋根の軒先、ケラバ等に設けられる屋根化粧パネルＰを取付けるために、屋根化粧パネル取付金具１００を用いることは公知である。
【０００４】
この屋根化粧パネル取付金具１００は、屋根化粧パネルＰを取付けるためのパネル受部材１０１と、このパネル受部材１０１を屋根材Ｙに固定するための取付部材１０２とを、ボルト、ナットなどの連結具１０３で連結されて成る。
【０００５】
屋根化粧パネルＰは、金属板、合成樹脂板等で形成されており、その上下端には、パネル受部材１０１に係止される上、下折縁Ｐ１を形成している。
【０００６】
パネル受部材１０１には、屋根化粧パネルＰの上、下折縁Ｐ１を係止するために、上下端に受止折曲片１１１が形成され、且つ、このパネル受部材１０１の取付け高さを調節するための長孔１２１を長手方向に形成している。
【０００７】
取付部材１０２には、屋根材Ｙにボルト等の固定具Ｋを挿通するための複数の取付孔１２２が形成され、且つ、この取付部材１０２の軒先或いはケラバ側の一端には、上記連結具１０３が挿通される軸孔１３２を設けている。
【０００８】
このように形成された屋根化粧パネル取付金具１００は、図例のように、屋根材Ｙの適所に固定されたボルト等の固定具Ｋに、取付部材１０２の取付孔１２２を貫通し、これにナットを螺合して取付部材１０２を固定する。
【０００９】
次いで、取付部材１０２の一端に連結されたパネル受部材１０１を鉛直方向に位置付けたうえで、上記連結具１０３を締め付ければ、パネル受部材１０１は、取付部材１０２に連結して固定される。
【００１０】
そして、鉛直方向に固定されたパネル受部材１０１の受止折曲片１１１に、屋根化粧パネルＰの上、下折縁Ｐ１を係止して、屋根の軒先、ケラバ等に屋根化粧パネルＰを取付けるのである。
【００１１】
【発明が解決しようとする課題】
このように、取付部材１０２と、パネル受部材１０１とは、連結具１０３で締め付けされた一点支持によって連結しているため、この連結具１０３を締め付けた後、パネル受部材１０１或いは取付部材１０２に対して、施工中などに不意な衝撃を受けたり、施工後、台風などによって強風に煽られると、位置決め固定されたパネル受部材１０１の高さ位置のズレや、傾きが生じ、屋根化粧パネルＰの高さ位置や傾き、屋根化粧パネルの歪、損傷という問題があった。
【００１２】
そこで、連結具１０３を締め付けた後、この連結具１０３の近傍に、パネル受部材１０１及び取付部材１０２を、例えば、鉄骨ビス（ドリルネジ）等のような止具（不図示）によって貫通させて、両者を固定すれば、取付部材１０２とパネル受部材１０１は、連結具１０３と上記止具（不図示）による二点支持によって連結されるため、上記問題を解消できる。
【００１３】
しかしながら、取付部材１０２やパネル受部材１０１は、薄肉のものではなく、強度上、ある程度の肉厚を必要とし、これらを重合させたうえで、両者を止具（不図示）で貫通する作業は、非常に困難であり、作業の手間がかかった。
【００１４】
本発明は、かかる課題を解決することを目的とし、取付部材とパネル受部材を、連結具と止具によって二点支持できるうえ、止具の作業性が良い屋根化粧パネル取付金具を提供する。
【００１５】
【課題を解決するための手段】
上記目的を達成するため、
請求項１に係る屋根化粧パネル取付金具は、屋根化粧パネルを取付けるためのパネル受部材と、屋根材に取付ける取付部材とを組み合わせて構成され、上記パネル受部材には、長手方向に長孔を形成すると共に、この長孔に重合される軸孔を上記取付部材に形成して、上記長孔と軸孔とを連結具で結合して成る構造の屋根化粧パネル取付金具において、上記パネル受部材と上記取付部材とが重合される部分であって、且つ、これらパネル受部材又は取付部材の何れか一方には、先端に切削部を備えた止具が貫通される孔部を形成したことを特徴とする。
【００１６】
このものでは、パネル受部材又は取付部材の何れか一方に、止具が貫通される孔部を形成しているので、止具は、この孔部に重合される他方のパネル受部材又は取付部材に固定するだけで、両者を簡単に連結できるうえ、取付部材とパネル受部材を、連結具と止具によって二点支持できる。
【００１７】
請求項２に係る屋根化粧パネル取付金具は、請求項１において、上記孔部は、上記取付部材に１以上、又は、上記パネル受部材の長孔に沿って少なくとも２以上が形成されていることを特徴とする。
【００１８】
このものでは、パネル受部材の高さ位置に関係なく、孔部をパネル受部材又は取付部材に固定できる。
【００１９】
請求項３に係る屋根化粧パネル取付金具は、請求項１又は２の何れかにおいて、上記長孔の長手方向に沿って、上記パネル受部材の高さ位置が識別可能な目印部を形成したことを特徴とする。
【００２０】
このものでは、パネル受部材の長孔の長手方向に沿って、目印部を形成することで、施工組立状態に起立されたパネル受部材の高さ位置を、容易に識別できる。
【００２１】
【発明の実施の形態】
以下、本発明に係る屋根化粧パネル取付金具を図面に基づき説明する。
【００２２】
図１は、本発明に係る屋根化粧パネル取付金具Ａの一実施例を示す使用状態図、図２は、本発明に係る屋根化粧パネル取付金具Ａの一実施例を示す分解斜視図、図３は、図２の仮組み状態を示す斜視図である。
【００２３】
この屋根化粧パネル取付金具Ａは、屋根化粧パネルＰを取付けるためのパネル受部材１と、このパネル受部材１を屋根材Ｙに固定するための取付部材２とを、ボルト、ナットなどの連結具３で連結されて成る。
【００２４】
屋根化粧パネルＰは、従来同様、金属板、合成樹脂板等で形成されており、その上下端には、パネル受部材１に係止される上、下折縁Ｐ１を形成している。
【００２５】
パネル受部材１は、屋根化粧パネルＰに応じて、これを取付可能な形状であれば良いが、本実施例では、屋根化粧パネルＰの上、下折縁Ｐ１を係止するために、両端面に屋根化粧パネルＰの上、下折縁Ｐ１を受止固定する受止折曲片１１が形成されたアングル材を例示している。
【００２６】
また、パネル受部材１の側面には、長手方向に向けて片部１２を形成しており、この片部１２には、取付け高さを調節するための長孔１３を、略中央から一端側に向けて形成している。
【００２７】
さらに、パネル受部材１の連結端、すなわち、長孔１３が形成された一端側の受止折曲片１１と、片部１２との間には、取付部材２の肉厚よりもやや大きいスリット開口１４を形成している。
【００２８】
さらにまた、長孔１３の長手方向に沿って、パネル受部材１の高さ位置が識別可能な目盛等の目印部１７を形成しても良く、このような目印部１７を形成することで、施工組立状態に起立されたパネル受部材１の高さ位置を、容易に識別できる。
【００２９】
取付部材２は、屋根材Ｙに固定可能であって、且つ、パネル受部材１に折畳可能な形状であれば良いが、本実施例では、一片２１と固定片２２からなるＬ型アングル材を例示している。
【００３０】
この取付部材２の固定片２２には、屋根材Ｙにボルト等の固定具Ｋを挿通するための複数の取付孔２３を適所に形成している。
【００３１】
また、取付部材２の一片２１の軒先或いはケラバ側には、パネル受部材１の長孔１３に重合され、且つ、連結具３が挿通される軸孔２４を形成している。
【００３２】
また、取付部材２の一片２１の適所には、パネル受部材１の長孔１３に係止されるか、或いは、パネル受部材１の片部１２の側縁１２ａに係止される係止部２５を形成している。
【００３３】
ここで、係止部２５は、パネル受部材１と取付部材２が梱包収納状態のときに、パネル受部材１の長孔１３に係止されるか、或いは、パネル受部材１の片部１２の側縁１２ａに係止されるものであれば良く、ここでは、パネル受部材１の長孔１３と係脱可能な凸状の係止部２５を示している。
【００３４】
さらに、取付部材２には、その連結端の角部、つまり軸孔２４側に位置される一片２１の角部を切り欠いて、切欠逃し部２６を形成している。
【００３５】
この切欠逃し部２６は、パネル受部材１を回転させたときに取付部材２に引っ掛からないように、例えば、図６（ａ）、（ｂ）に示すように、取付部材２の角部を切り欠いたものであれば良い。
【００３６】
本発明は、上述のように形成されたパネル受部材１と取付部材２とが重合される部分であって、且つ、これらパネル受部材１又は取付部材２の何れか一方に、例えば、図５（ａ）、（ｂ）に示すように、ドリルネジ等のような先端に切削部４１を備えた止具４が貫通される孔部１８を形成したことを特徴にしている。
【００３７】
ここでは、パネル受部材１の長孔１３に沿って、少なくとも２以上の孔部１８を形成したものを例示している。
【００３８】
このように形成されたパネル受部材１の長孔１３と、取付部材２の軸孔２４を重合し、これに連結具３のボルトを貫通したうえで、ナットを螺合すれば、パネル受部材１と取付部材２が、図３で示すような仮組み状態（連結具３のナットをかたく締め付けていない状態）に連結でき、また、切欠逃し部２６を形成することで、パネル受部材１が取付部材２に引っ掛からずに、これを回転自在にできる。
【００３９】
そのため、この仮組み状態では、パネル受部材１は、連結具３を軸中心にして図中の矢印に示すように回転でき、パネル受部材１と取付部材２とが、連結具３を介して施工組立状態に起立し、かつ梱包収納状態に折畳可能となる。
【００４０】
なお、パネル受部材１が、図３で示すような梱包収納状態のときには、取付部材２の係止部２５が、パネル受部材１の長孔１３に係止されるため、パネル受部材１と取付部材２とが、動くことがなく、この梱包収納状態を確実に固定保持できる。
【００４１】
図４は、本発明に係る屋根化粧パネル取付金具Ａの施工時での動作を示す概略図、図５は、図４の要部を拡大した部分断面図である。
【００４２】
上述のように形成された屋根化粧パネル取付金具Ａは、以下の要領で施工する。
【００４３】
以下、図１、図４、図５に基づいて説明する。
【００４４】
先ず、梱包収納状態のまま、屋根材Ｙの適所に取付部材２の固定片２２を配置し、これを固定具Ｋを用いて屋根材Ｙに固定する〔図４（ａ）参照〕。
【００４５】
次いで、パネル受部材１の端部を上方から軽く叩くなどして、長孔１３と係止部２５との係止を離脱し、図中矢印に示すように回転させて、パネル受部材１を鉛直方向に向けて起立させる〔図４（ｂ）、（ｃ）参照〕。
【００４６】
そして、パネル受部材１の内面が、取付部材２の連結端縁に当接し、それ以上の回転が規制されると共に、パネル受部材１が施工組立状態に起立され、この状態で、パネル受部材１の高さ位置を調節した後、連結具３を締め付ければ、パネル受部材１は、取付部材２と連結して固定される。
【００４７】
なお、パネル受部材１の高さ位置を調節する際、長孔１３の長手方向に沿って形成された目印部１７を見れば、施工組立状態に起立されたパネル受部材１の高さ位置を、容易に識別できる。
【００４８】
そして、パネル受部材１の長孔１３に沿って形成された複数の孔部１８の中から、取付部材２に重合されている所望の孔部１８を選定し、この選定した孔部１８をガイド孔として止具４を貫通する〔図４（ｃ）及び図５（ａ）参照〕。
【００４９】
その後、止具４を電動工具等で締め付ければ、止具４の先端の切削部４１は、孔部１８に重合される取付部材２を切削しながら、これに食込んで固定し、パネル受部材１と取付部材２とを簡単に連結できるうえ、取付部材２とパネル受部材１を、連結具３と止具４によって二点支持できる〔図４（ｃ）及び図５（ｂ）参照〕。
【００５０】
最後に、施工組立状態に起立して固定されたパネル受部材１の受止折曲片１１に、従来同様、屋根化粧パネルＰの上、下折縁Ｐ１を受止め固定して、屋根の軒先、ケラバ等に屋根化粧パネルＰを取付けるのである。
【００５１】
このように、本発明の屋根化粧パネル取付金具Ａによれば、パネル受部材１に、止具４が貫通される孔部１８を形成しているので、止具４は、この孔部１８に重合される取付部材２に固定するだけで、両者を簡単に連結できるうえ、取付部材２とパネル受部材１を、連結具３と止具４によって二点支持できる。
【００５２】
そのため、パネル受部材１或いは取付部材２に対して、施工中などに不意な衝撃を受けたり、施工後、台風などによって強風に煽られても、取付部材２に対して位置決め固定されたパネル受部材１の高さ位置のズレや傾きが生じることを確実に防止できる。
【００５３】
図７は、本発明に係る屋根化粧パネル取付金具Ａの他の実施例を示す分解斜視図、図８（ａ）〜（ｃ）及び図９（ｄ）、（ｅ）は、図７の施工時での動作を示す要部の拡大概略図である。
【００５４】
なお、図１〜図６で示された部位と共通する部位には、共通の番号を付し、その説明は省略する。
【００５５】
この屋根化粧パネル取付金具Ａは、取付部材２、パネル受部材１のいずれか一方には、それぞれに対する他方の部材を遠ざける位置に移動せるための逃がし孔１５を、軸孔２４又は長孔１３に連設しており、これによって、取付部材２とパネル受部材１とを折畳可能にしている。
【００５６】
ここでは、上記切欠逃し部２６に代えて、取付部材２の軸孔２４に連設された逃がし孔１５を形成したものを例示して説明するが、上記切欠逃し部２６に加えて形成しても良い。
【００５７】
このような屋根化粧パネル取付金具Ａでは、上記同様、梱包収納状態のまま、屋根材Ｙの適所に取付部材２の固定片２２を配置し、これを固定具Ｋを用いて屋根材Ｙに固定する〔図１、図８（ａ）参照〕。
【００５８】
次いで、パネル受部材１の端部を上方から軽く叩くなどして、長孔１３と係止部２５との係止を離脱し、パネル受部材１を鉛直方向に向けて起立させるのであるが、このままでは、取付部材２の連結端の角部が、パネル受部材１の内面に当接してしまうので、取付部材２をパネル受部材１から遠ざける位置に移動させれば、連結具３が軸孔２４から逃がし孔１５に移動する〔図８（ｂ）、（ｃ）参照〕。
【００５９】
このように取付部材２をパネル受部材１から遠ざけた状態であれば、パネル受部材１を鉛直方向に向けて起立できる〔図９（ｄ）参照〕。
【００６０】
そして、パネル受部材１の内面が、取付部材２の連結端縁に当接し、それ以上の回転が規制されると共に、取付部材２をパネル受部材１に近づける位置に戻せば、連結具３が再び軸孔２４に移動して、パネル受部材１が施工組立状態に起立され、この状態で、連結具３を締め付ければ、パネル受部材１は、取付部材２と略直交状態に連結して固定される〔図９（ｅ）参照〕。
【００６１】
最後に、上記同様、複数の孔部１８の中から、取付部材２に重合されている所望の孔部１８を選定し、この選定した孔部１８に止具４を貫通させて電動工具等で締め付ければ、取付部材２とパネル受部材１を、連結具３と止具４によって二点支持できる〔図９（ｅ）参照〕。
【００６２】
このような屋根化粧パネル取付金具Ａによれば、軸孔２４に連設される逃がし孔１５を形成して、取付部材２とパネル受部材１とを遠ざける位置に移動可能な構造にしているので、仮組みされた状態であっても、パネル受部材１と、取付部材２とを折り畳んで重合することができると共に、パネル受部材１或いは取付部材２に対して、施工中などに不意な衝撃を受けたり、施工後、台風などによって強風に煽られても、取付部材２に対して位置決め固定されたパネル受部材１の高さ位置のズレや傾きが生じることを確実に防止できる。
【００６３】
なお、図１０（ａ）〜（ｄ）は、取付部材２の軸孔２４に連設された逃がし孔１５の様々な態様例を示した概略図であり、これらのような逃がし孔１５を形成しても同様の効果を得る。
【００６４】
また、図１１は、取付部材２の軸孔２４に連設された逃がし孔１５と、上記の切欠逃し部２６が併設されたものを例示した概略図である。
【００６５】
図１２（ａ）〜（ｈ）は、パネル受部材１に逃がし孔１５を設けた場合の様々な態様を示す概略正面図である。
【００６６】
ここでは、パネル受部材１の長孔１３に、連結具３が移動される逃がし孔１５を形成したものである。
【００６７】
これらのパネル受部材１には、何れも長孔１３に貫通される連結具３の軸心を移動できるような逃がし孔１５を形成して、取付部材２とパネル受部材１とを遠ざける位置に移動可能な構造にしているので、仮組みされた状態であっても、パネル受部材１と、取付部材２とを折り畳んで重合することができ、上記同様の効果を得ることができる。
【００６８】
なお、逃がし孔１５は、軸孔２４及び長孔１３の両方に形成しても勿論構わない。
【００６９】
図１３は、本発明に係る屋根化粧パネル取付金具Ａの更に他の実施例を示す分解斜視図、図１４（ａ）〜（ｃ）は、図１３の施工時での動作を示す要部の拡大概略図である。
【００７０】
なお、図１〜図１２で示された部位と共通する部位には、共通の番号を付し、その説明は省略する。
【００７１】
この屋根化粧パネル取付金具Ａは、パネル受部材１には、取付部材２の連結端の角部２１ａを貫通させる切欠逃し溝部１６を形成しており、これによって、取付部材２とパネル受部材１とを折畳可能にしている。
【００７２】
このような屋根化粧パネル取付金具Ａでは、上記同様、梱包収納状態のまま、屋根材Ｙの適所に取付部材２の固定片２２を配置し、これを固定具Ｋを用いて屋根材Ｙに固定する〔図１、図１４（ａ）参照〕。
【００７３】
次いで、パネル受部材１の端部を上方から軽く叩くなどして、長孔１３と係止部２５との係止を離脱し、パネル受部材１を鉛直方向に向けて起立すれば、取付部材２の連結端の角部２１ａが、パネル受部材１に当接せずに、切欠逃し溝部１６を貫通する〔図１４（ｂ）参照〕。
【００７４】
そして、パネル受部材１の内面が、取付部材２の連結端縁に当接し、それ以上の回転が規制されて、パネル受部材１が施工組立状態に起立され、この状態で、連結具３を締め付ければ、パネル受部材１は、取付部材２と略直交状態に連結して固定される〔図１４（ｃ）参照〕。
【００７５】
最後に、上記同様、複数の孔部１８の中から、取付部材２に重合されている所望の孔部１８を選定し、この選定した孔部１８に止具４を貫通させて電動工具等で締め付ければ、取付部材２とパネル受部材１を、連結具３と止具４によって二点支持できる〔図１４（ｃ）参照〕。
【００７６】
このような屋根化粧パネル取付金具Ａによれば、取付部材２の連結端の角部２１ａが、パネル受部材１の切欠逃し溝部１６を貫通する構造にしているので、仮組みされた状態でっても、パネル受部材１と、取付部材２とを折り畳んで重合することができ、上記同様の効果を得ることができる。
【００７７】
図１５は、本発明の係止部の他の実施例を示す斜視図であり、図１６（ａ）〜（ｆ）は、係止部の様々な態様例を示した概略図である。
【００７８】
なお、図１〜図１４で示された部位と共通する部位には、共通の番号を付し、その説明は省略する。
【００７９】
この係止部２５は、上記のものとは異なり、パネル受部材１の片部１２の側縁１２ａに係脱可能な構造のものを示しており、ここでは、片部１２一端の傾斜された側縁１２ａに係脱される爪片状の係止部２５を示している。
【００８０】
このような係止部２５によれば、図１５で示すような梱包収納状態のときには、取付部材２の係止部２５が、パネル受部材１の側縁１２ａに係止されるため、パネル受部材１と取付部材２とが、動くことがなく、この梱包収納状態を確実に固定保持できる。
【００８１】
なお、本実施例で示された係止部２５は、様々な態様に形成でき、その一例を図１６（ａ）〜（ｆ）に示している。
【００８２】
図１７及び図１８は、本発明の係止部の更に他の実施例を示す斜視図である。
【００８３】
なお、図１〜図１６で示された部位と共通する部位には、共通の番号を付し、その説明は省略する。
【００８４】
図１７では、取付部材２の係止部２５が、パネル受部材１の長孔１３に係止された施工組立状態を示し、図１８では、取付部材２の係止部２５が、パネル受部材１の側縁１２ａに係止された施工組立状態を各々示している。
【００８５】
このような係止部２５によれば、図１７で示すように、パネル受部材１が起立された組立施工状態のときには、取付部材２の係止部２５が、パネル受部材１の長孔１３に係止されるか、又は、図１８で示すように、取付部材２の係止部２５が、パネル受部材１の側縁１２ａに係止されるため、何れの場合であっても、パネル受部材１と取付部材２とが、動くことがなく、この組立施工状態を確実に固定保持できる。
【００８６】
なお、本実施例で示された様々な態様の係止部２５は、これらを適宜組み合わせて使用することもできる。
【００８７】
図１９は、本発明に係る孔部の他の実施例を示す分解斜視図である。
【００８８】
この屋根化粧パネル取付金具Ａは、図１〜図１８で示した孔部１８が、パネル受部材１ではなく、取付部材２側に形成したものを例示しており、この場合には、孔部１８は、少なくとも１以上形成されていれば、上記同様の効果が得られることは勿論である。
【発明の効果】
本発明によれば、パネル受部材と取付部材を起倒状態に可能な構造にしているので、仮組みされた状態であっても、パネル受部材と、取付部材とを折り畳んで重合することができ、搬送時に小型化となり、持ち運びが便利なうえ、輸送コストをも削減できる。
【００８９】
また、梱包収納状態及び施工組立状態で固定可能に連結される構造にしているので、例えば、搬送時の梱包収納状態であっても、その状態を維持してガタツキを防止でき、搬送中などの各々の部材の傷付きを防止できる。
【００９０】
さらに、施工時の施工組立状態でも、その状態が維持されるように固定可能にしているので、ボルト、ナットなどの連結具の締め付け作業を容易にできる。
【００９１】
請求項１に係る屋根化粧パネル取付金具によれば、パネル受部材又は取付部材の何れか一方に、止具が貫通される孔部を形成しているので、止具は、この孔部に重合される他方のパネル受部材又は取付部材に固定するだけで、両者を簡単に連結できるうえ、取付部材とパネル受部材を、連結具と止具によって二点支持できる。
【００９２】
請求項２に係る屋根化粧パネル取付金具によれば、孔部は、取付部材に１以上、又は、パネル受部材の長孔に沿って少なくとも２以上が形成されているので、パネル受部材の高さ位置に関係なく、孔部をパネル受部材又は取付部材に固定できる。
【００９３】
請求項３に係る屋根化粧パネル取付金具では、長孔の長手方向に沿って、パネル受部材の高さ位置が識別可能な目印部を形成しているので、施工組立状態に起立されたパネル受部材の高さ位置を、容易に識別できる。
【図面の簡単な説明】
【図１】本発明に係る屋根化粧パネル取付金具Ａの一実施例を示す使用状態図
【図２】本発明に係る屋根化粧パネル取付金具Ａの一実施例を示す分解斜視図
【図３】図２の仮組み状態を示す斜視図
【図４】（ａ）〜（ｃ）は、本発明に係る屋根化粧パネル取付金具Ａの施工時での動作を示す概略図
【図５】図４（ｃ）における要部を拡大した部分断面図
【図６】（ａ）、（ｂ）は、本発明の取付部材に形成される切欠逃し部の一例を示す部分拡大図
【図７】本発明に係る屋根化粧パネル取付金具Ａの他の実施例を示す分解斜視図
【図８】（ａ）〜（ｃ）は、図７の施工時での動作を示す要部の拡大概略図
【図９】（ｄ）、（ｅ）は、図７の施工時での動作を示す要部の拡大概略図
【図１０】取付部材の軸孔に連設された逃がし孔の様々な態様例を示した概略図
【図１１】取付部材の軸孔に連設された逃がし孔と、上記の切欠逃し部が併設されたものを例示した概略図
【図１２】（ａ）〜（ｈ）は、パネル受部材に逃がし孔を設けた場合の様々な態様を示す概略正面図
【図１３】本発明に係る屋根化粧パネル取付金具Ａの更に他の実施例を示す分解斜視図
【図１４】（ａ）〜（ｃ）は、図１３の施工時での動作を示す要部の拡大概略図
【図１５】本発明の係止部の他の実施例を示す斜視図
【図１６】（ａ）〜（ｆ）は、係止部の様々な態様例を示した概略図
【図１７】本発明の係止部（長孔の係止）の更に他の実施例を示す斜視図
【図１８】本発明の係止部（端縁の係止）の更に他の実施例を示す斜視図
【図１９】本発明に係る孔部の他の実施例を示す分解斜視図
【図２０】従来の屋根化粧パネル取付金具を示す使用状態図
【符号の説明】
Ａ　　　屋根化粧パネル取付金具
Ｐ　　　屋根化粧パネル
Ｐ１　　上、下折縁
Ｙ　　　屋根材
１　　　パネル受部材
１１　　受止折曲片
１２ａ　側縁
１３　　長孔
１４　　スリット開口
１５　　逃がし孔
１６　　切欠逃し溝部
１８　　孔部
２　　　取付部材
２１ａ　角部
２４　　軸孔
２５　　係止部
２６　　切欠逃し部
３　　　連結具
【図１】
2004092290.tif 000003
【図２】
2004092290.tif 000004
【図３】
2004092290.tif 000005
【図４】
2004092290.tif 000006
【図５】
2004092290.tif 000007
【図６】
2004092290.tif 000008
【図７】
2004092290.tif 000009
【図８】
2004092290.tif 000010
【図９】
2004092290.tif 000011
【図１０】
2004092290.tif 000012
【図１１】
2004092290.tif 000013
【図１２】
2004092290.tif 000014
【図１３】
2004092290.tif 000015
【図１４】
2004092290.tif 000016
【図１５】
2004092290.tif 000017
【図１６】
2004092290.tif 000018
【図１７】
2004092290.tif 000019
【図１８】
2004092290.tif 000020
【図１９】
2004092290.tif 000021
【図２０】
2004092290.tif 000022